(57)【特許請求の範囲】
【請求項１】
電動機の過負荷保護装置を一面が開放されたカバ内に収納し、この開放されたカバの一面側を密閉形電動圧縮機の外殻に取り付け、コード接続用端子を配置する端子台とこの端子台を覆う端子台カバとを有する電力供給装置を備えた密閉形電動圧縮機を組み込む冷蔵庫において、
前記開放されたカバの一面に隣接する他の一面に開口部を設け、
コード接続用端子を配置する端子台を前記カバと別体に設け、
この端子台を前記カバの開口部にスライド嵌合機構により着脱自在に取り付けるとともに、
前記カバに端子台カバを嵌合機構により着脱自在に取り付け、
前記端子台のコード接続用端子が冷蔵庫の背面側になるように密閉形電動圧縮機を取り付けることを特徴とする電力供給装置を備えた密閉形電動圧縮機を組み込む冷蔵庫。
【請求項２】
前記スライド嵌合機構は、カバの開口部もしくは端子台の縁部に凹状レールを設け、この凹状レールに端子台の縁部もしくはカバの開口部の縁部をスライドさせてカバ及び端子台を嵌合させるものであることを特徴とする請求項１記載の電力供給装置を備えた密閉形電動圧縮機を組み込む冷蔵庫。
【請求項３】
前記端子台は、コード接続用端子とコード止めとの間のコード接続用端子間の絶縁空間に穴を設けたものであることを特徴とする請求項１に記載の電力供給装置を備えた密閉形電動圧縮機を組み込む冷蔵庫。
【請求項４】
前記端子台は、両面に複数のコード接続用端子を設けたものであることを特徴とする請求項１に記載の電力供給装置を備えた密閉形電動圧縮機を組み込む冷蔵庫。
【請求項５】
前記端子台は、相隣れるコード接続用端子を絶縁するために形成した絶縁壁とコード接続用端子との間に固定機構を設けてコード接続用端子の端子面と直角方向の動きを規制するとともに、端子台とコード接続用端子との間に凹凸による固定機構を設けてコード接続用端子の端子面に沿う方向の動きを規制するものであることを特徴とする請求項１に記載の電力供給装置を備えた密閉形電動圧縮機を組み込む冷蔵庫。
【請求項６】
前記端子台は、コード接続用端子に２個の雌ねじを配置し、一方の雌ねじの両側の端子面に端子面と直角方向のタブ端子を設けるものであることを特徴とする請求項１に記載の電力供給装置を備えた密閉形電動圧縮機を組み込む冷蔵庫。
【発明の詳細な説明】
【０００１】
【発明の属する技術分野】
本発明は、電力供給装置を備えた密閉形電動圧縮機を組み込む冷蔵庫に関する。
【０００２】
【従来の技術】
冷蔵庫等に組み込まれる密閉形電動圧縮機は、電動機の始動装置と電動機に何等かのトラブルが生じた時、これを保護する過負荷保護装置とを備えており、これらにカバを被せて密閉形電動圧縮機に取り付けられている。電動機と始動装置とは、電動機の外殻に設けられた入力端子に始動装置のソケット端子が差し込まれ、電気的接続と取り付けが同時に行われるとともに、各装置にコード（リード線）を接続して電動機への電力供給を行っている。
【０００３】
たとえば、実開昭５１−１０６００４号公報記載のものは、ベースに始動装置と過負荷保護装置とを取り付けてユニット化し、これにカバを被せて電動機外殻のプラグにユニットベースのコンセントを差し込んで電動機への取り付けと電気的接続を同時に行っている。カバは補助金具で電動機に固定される。始動装置と過負荷保護装置との端子には電力供給用コードが接続され、カバのコード通し穴からコードを外部に引き出す構造となっている。
【０００４】
また、特開昭６１−３５５９５号公報記載のものは、保護カバ内に無接点始動装置と過負荷保護装置とを取付けて一体化し、これを圧縮機外殻の電極棒に前記無接点始動装置の電極受けを差し込んで圧縮機への取付けと電気的接続を同時に行っている。
【０００５】
さらに、特開昭５８−４７９７６号公報記載のものがある。これは、特に熟練者でなくても、また格別な道具を使用することなく修理可能にしたものであるが、外部グリップ端子には電源用コードの位置がずれるのを防ぎ、かつ端子から外れるのを防ぐためのネジを備えたブリッジを有し、このブリッジは圧縮機外殻の囲み壁にあるカバによって支持されている。囲み壁はその外周部が蓋で囲まれ、蓋はこれを包囲するＣ形状の弾性片にて圧縮機に固定されている。
【０００６】
一般に圧縮機は冷蔵庫の最下部に配置され、この最下部には食品収納スペース等が設けられる関係から、圧縮機は冷蔵庫の正面と背面方向、すなわち前後方向に最も小さい寸法となるよう配置される。その結果、通常、圧縮機の電力供給装置及び保護ユニットは冷蔵庫の背面から見た場合、左右いずれかの位置に取り付けられている。圧縮機に何等かの異常が生じ故障診断する時や電源コードまたは保護ユニットの取り外し、取り付け作業は圧縮機の左右いずれかの方向からの側面作業となる。
【０００７】
【発明が解決しようとする課題】
上記特開昭５８−４７９７６号公報記載のものでは、ネジの取り外し、取り付け作業が圧縮機の側面となり、冷蔵庫の圧縮機周辺のスペースは庫内スペース確保を優先しているため狭く、また床面に近いものであるため作業は困難をともなう。サービス作業では作業者自身がその姿勢を変えて対応する以外になく、作業効率も著しく悪い。
【０００８】
また、上記実開昭５１−１０６００４号公報及び特開昭６１−３５５９５号公報記載のものでは、外部引き出しコードに張力等の外力が加えられた時、その外力が直接端子部まで影響し、密閉形電動圧縮機に係るＩＥＣ規格（Ｉｎｔｅｒｎａｔｉｏｎａｌ  Ｅｒｅｃｔｒｏｔｅｃｈｎｅｃａｌ  Ｃｏｍｍｉｓｓｉｏｎ：国際電気標準会議及びその規格）のＩＥＣ３３５−１「家庭用及びそれに類する電気機器の安全」に規定される以下の条件を満足できない。
【０００９】
１．取付
Ｘ    型特殊な工具を用いることなく可とうケーブルまたはコードが容易に取り付け交換でき、且つ、可とうケーブルに特殊な加工を要しない。
【００１０】
２．構造、性能
端子配置      各端子は夫々異極の端子及びアース端子に対応する端子に近接したところにあること。
【００１１】
電源コード端子Ｍ３.５以上のねじ端子
アース端子    Ｍ３.５以上のねじ端子
コードクランプ電源コード、器内配線コード、アースコードとともにコードクランプすること。
【００１２】
コードクランプコード変位  １００Ｎ  １ｓｅｃ  ２５回  ＭＡＸ  ２ｍｍ
強度          端子変位    １００Ｎ  １ｓｅｃ  ２５回  ＭＡＸ  １ｍｍ
端子台カバ    特殊な工具を用いることなく開けられる。
【００１３】
さらに、入力ピン端子が受ける外力について配慮されていなかった。たとえば、始動装置と過負荷保護装置とを収納するカバの固定構造が堅固でないと、外力が作用した場合、入力ピン端子は軸に直角方向に変化し、接触抵抗が増加してジュール熱が発生し、これにより温度上昇を起こす。最悪の場合に過熱焼損に発展する恐れがある。
【００１４】
さらに、圧縮機を組み込む冷蔵庫では、電源接続部等の露出部分、即ちカバで覆った状態で注水絶縁試験が行われている。これは、屋外に設置された場合の雨水の浸入や、屋内であっても床面清掃の散水による水の浸入があり、これりよる絶縁低下について配慮されていなかった。
【００２１】
本発明の目的は、電力供給装置を備えた密閉形電動圧縮機の組み込む冷蔵庫において、密閉形電動圧縮機の故障診断もしくは電源コードの取り付け、取り外し作業の容易な冷蔵庫を提供することにある。
【００２８】
【課題を解決するための手段】
上記目的は、電動機の過負荷保護装置を一面が開放されたカバ内に収納し、この開放されたカバの一面側を密閉形電動圧縮機の外殻に取り付け、コード接続用端子を配置する端子台とこの端子台を覆う端子台カバとを有する電力供給装置を備えた密閉形電動圧縮機を組み込む冷蔵庫において、前記開放されたカバの一面に隣接する他の一面に開口部を設け、コード接続用端子を配置する端子台を前記カバと別体に設け、この端子台を前記カバの開口部にスライド嵌合機構により着脱自在に取り付けるとともに、前記カバに端子台カバを嵌合機構により着脱自在に取り付け、前記端子台のコード接続用端子が冷蔵庫の背面側になるように密閉形電動圧縮機を取り付ける、ことによって達成される。
【００２９】
【発明の実施の形態】
本発明の電力供給装置を備えた密閉形電動圧縮機の実施例を図１から図２７により説明する。
【００３０】
図１は電力供給装置を備えた密閉形電動圧縮機の正面図、図２は図１のＡ−Ａ断面平面図、図３は図１のＢ−Ｂ断面右側面図、図４は図３の要部拡大図、図５は図１の左側面図、図６は図１から端子カバを除去した正面図、図７（ａ）は図６のＣ−Ｃ断面要部拡大図、（ｂ）は図６のＤ−Ｄ断面要部拡大図、図８は図１から電力供給装置を除去した正面図、図９は図８から押さえばね、アース端子を除去した正面図、図１０は図８の左側面図、図１１は図１の一部省略下面図、図１２は図１の分解斜視図、図１３は電力供給装置の正面図、図１４は図１３の部分断面右側面図、図１５は図１３の左側面図、図１６は図１３の部分断面平面図、図１７は端子台のコード接続用端子固定部の要部拡大斜視図、図１８は端子台の他の取り付け機構の実施例を示す拡大断面図、図１９はコード止め部の拡大下面図、図２０は図１９のＥ−Ｅ断面図、図２１ないし２５は結線図、図２６はカバと端子台カバの固定部を示す部分断面拡大斜視図、図２７は端子台カバ取り外し説明図である。
【００３１】
図において、１は密閉形電動圧縮機、２は密閉形電動圧縮機１の外殻３に突出して設けられた電動機（図示せず）に電力を供給するための入力ピン端子（図１０参照）である。４は密閉形電動圧縮機１の外殻３の入力ピン端子２の周囲に設けた平坦面３ａに、その一部がプロジェクション溶接等の方法で固定された取付金具であり、前記入力用ピン２を囲む上下方向には、取付金具４の平坦面４ａから立ち上げた一対の押さえばね係止部４ｂが対向して設けられている。この押さえばね係止部４ｂは、その途中が段曲げされ、先端側対向部４ｃの間隔が根本側対向部４ｄの間隔より大きな寸法に設定されている。さらにこの先端側対向部４ｃには、後述する押さえばね５を取付係止するための穴４ｅが設けられている。
【００３２】
又、一対の押さえばね係止部４ｂと直角方向に交わる右側面位置には、アース端子取付部４ｆが設けられている。このアース端子取付部４ｆは、前記押さえばね係止部４ｂ同様、入力用ピン端子２を囲むように平坦部４ａから立ち上げられている。この立ち上げ面４ｇの下側の一端部は張り出されて上段曲げされ、その立ち上げ面４ｇには後述するアース端子６を取り付け固定するための雌ねじ４ｉが設けられ、段曲げ面４ｈにはアース端子６にねじ込まれるアース端子用ねじ７の逃げ穴４ｊが設けられている。
【００３３】
６はアース端子で、前記アース端子取付部４ｆの立ち上げ面４ｇと段曲げ面４ｈに沿った面形状を有し、立ち上げ面４ｇに設けた雌ねじ４ｉに対応する位置にばか穴６ａが明けられている。このばか穴６ａの両面側には、これを囲むように一対のタブ端子６ｂが設けられている。
【００３４】
また、段曲げ面４ｈの逃げ穴４ｊに対応する位置には、アースコードの端子部を接続固定するための雌ねじ６ｃが設けられている。
【００３５】
また、このアース端子６は密閉形電動圧縮機１の外殻３に最も近接した位置で、後述する端子台１０に並設して固定されたコード接続用端子１１と並設して設けられている。
【００３６】
さらに、このアース端子６は、端子台１０をカバ９に取り付け、この組品を密閉形電動圧縮機１に取付固定した時、アース端子取付部４ｆ及びアース端子６が端子台１０の縦、横、高さ方向ともにに全投影面積内に位置するように配置されている。
【００３７】
このように構成されたアース端子６は、ばか穴６ａを介してアース端子固定用ねじ８によりアース端子取付部４ｆの立ち上げ面４ｇに設けられた雌ねじ４ｉに締付固定される。
【００３８】
また、アースコードは、通常アース端子６に設けた雌ねじ６ｃにアース用ねじ７を用いて締付固定され、接地部まで導かれる。
【００３９】
さらに冷蔵庫等製品本体側でアースする必要な部分からはその部分に接続されたコードをアース端子６のタブ端子６ｂに接続し、このタブ端子６ｂを経由して接地される。
【００４０】
５は押さえばねで、弾性材料から成る線材から形成され、この両端部５ａは同一方向にほぼ直角曲げされ、さらに前記両端部５ａの先端はお互いに内側対向方向に曲げられたフック部５ｂが設けられている。このフック部５ｂは、前述の取付金具４の先端側対向部４ｃの穴４ｅに回転自在に挿通係止されている。また、両端部５ａは、先端側対向部４ｃを包囲するように取り付けられている。
【００４１】
Ｗは電力供給装置であり、密閉形電動圧縮機１を冷蔵庫等の製品に組込み、この製品を背面から見た時、熱可塑性合成樹脂製のカバ９の正面位置壁面９ａに開口部９ｂを設け、この開口部９ｂの縁に設けた凹状レール９ｃに沿って熱可塑性合成樹脂製の端子台１０の外周部１０ａを嵌合スライド固定して出来た内部空間に始動装置Ｓと過負荷保護装置Ｐ（図１２参照）が組み込まれて構成されている。
【００４２】
なお、端子台１０の外周部１０ａに凹状レールを設け、カバ９の開口部９ｄの縁をこの凹状レールに嵌合させる逆のスライド嵌合方式であっても良い。
【００４３】
この電力供給装置Ｗをさらに詳述すると、カバ９の左側面、即ちカバ９の天井位置には押さえばね固定部９ｄが設けられ、この押さえばね固定部９ｄに押さえばね５を後方から前方に回転させて係止し、押さえばね５の弾性力によって密閉形電動圧縮機１の外殻３の方向に押圧固定される。
【００４４】
なお、本実施例ではカバ９は取付金具４の平坦面４ａ上に押圧固定されるようになっている。
【００４５】
また、端子台１０の内外両面には複数のコード接続用端子１１が並設して設けられ、端子台１０の外面側に位置する外部側端子１１ａには電源コードや温度調整器等に配線されるコードが接続され、端子台１０の内面側に位置する内部側端子１１ｂには始動装置Ｓ及び過負荷保護装置Ｐに配線されるコードが接続できるようになっている。
【００４６】
さらに、外面側の外部側端子１１ａの下方位置には複数のコード止め固定部１０ｂが並設されて居り、夫々のコード止め固定部１０ｂにはコード止め１２及び１３がセルフタッピングねじ１４によりねじ止めされている。
【００４７】
ここで、端子台１０とコード接続用端子１１を詳述すると、夫々のコード接続用端子１１は左右方向に並設して設けられ、そのコード接続用端子１１間及び両端には絶縁壁１０ｃが設けられている。
【００４８】
また、端子台１０の上面側１０ｄと下面側１０ｅ間に高低差が付いている。即ち、上面側１０ｄが低く、下面側１０ｅが高く設定されている。上面側１０ｄにはコード接続用端子１１の内部側端子１１ｂと対応する部分に任意の大きさ形状を有する開口穴１０ｇが設けられて居り、下面側１０ｅには外部側端子１１ａと対応する位置に盲穴１０ｈが設けられている。
【００４９】
また、この盲穴１０ｈの下方位置の前記コード接続用端子１１と対向する任意の位置に凹状穴１０ｋが設けられている。
【００５０】
これに対し、コード接続用端子１１は、前述の端子台１０の段部１０ｆで区分された上面側１０ｄに設けられた開口穴１０ｇに対応する任意の位置に内部端子用雌ねじ１１ｃが設けられ、内部側端子１１ｂを形成する。また、この内部端子用雌ねじ１１ｃの両側面には、これを囲むように一対のタブ端子１１ｄが端子台１０の外面側方向に設けられ、外部側端子１１ａの一部を形成する。
【００５１】
また、端子台１０の下面側１０ｅの盲穴１０ｈに対応する位置には、外部端子用雌ねじ１１ｅが設けられ、もう一方の外部側端子１１ａを形成する。
【００５２】
さらに、このコード接続用端子１１には、タブ端子１１ｄの上方位置に、一対のタブ端子１１ｄの対向外形寸法より幅広の一対の出張り部１１ｆが設けられとともにに外部端子用雌ねじ１１ｅの両側にも同ようの一対の出張り部１１ｇが設けられている。
【００５３】
このそれぞれの出張り部１１ｆ、１１ｇに対応する端子台１０の絶縁壁１０ｃにはこの出張り部１１ｆ、１１ｇを当接し、コード接続用端子１１が端子台１０から浮き上がるのを防止するための端子受け部１０ｉ、１０ｊがそれぞれの出張り部１１ｅ、１１ｇの形状、寸法に合わせて設けられている。
【００５４】
なお、この端子受け部１０ｉ、１０ｊはコード接続端子１１を端子台１０の上面側１０ｄの表面に沿ってスライドさせた時、前記出張り部１１ｆ、１１ｇが端子受け部１０ｉ、１０ｊと重なり合うように絶縁壁１０ｃの直角方向に連なり配設されている。
【００５５】
すなわち、端子受け部１０ｉ、１０ｊは絶縁壁１０ｃが連なる上面側１０ｄ及び下面側１０ｅの表面との間にコード接続用端子１１の板厚よりこれを若干上廻る間隔が出来るように絶縁壁１０ｃ上に設けた凸部或いは凹部である。図１７に示すように前者の凸部により形成されている代表例が端子受け部１０ｉであり、後者の凹部で形成されている代表例が端子受け部１０ｊといえる。
【００５６】
また、コード接続用端子１１のスライド端子と逆方向の抜け止めは、前述の端子台１０の盲穴１０ｈの下方位置に凹状穴１０ｋを設け、コード接続用端子１１のスライド面側の凸部１１ｈを互いに係合させた取り付け機構により防止できる。
【００５７】
なお、この取り付け機構は例えば図１８に示すように端子台１０側に凸部１０Ｌを設け、これに対応するコード接続用端子１１側に凹状穴１１ｉあるいは単なる穴１１ｊを設けて良く、その組合せ構成、形状及び位置に左右されるものではない、要は取付作業性が容易で、他の部品を用いることなく両者間の大きな摩擦抵抗が作用する手段であれば何を用いてもよいことになる。
【００５８】
つぎに端子台１０とコード止め１２及び１３について詳述すると、端子台１０に設けられたコード止め固定部１０ｂは、全周が壁１０ｍで囲われて居り、この壁１０ｍで囲われた任意の位置に複数のねじ締結用ボス１０ｎが設けられている。また、前記ねじ締結用ボス１０ｎ間はその任意の位置に於いて仕切り壁１０ｐで区分けされている。
【００５９】
本実施例では、一方のねじ締結用ボス１０ｎを中心として左右上下両方向に凹状開口部１０ｑを配し、他方のねじ締結用ボス１０ｎには、左方上下方向のみ凹状開口部１０ｑを配したものとしてある。すなわち、それぞれのねじ締結用ボス１０ｎの周辺上下方向対向面に、これを一対として合計３組の凹状開口部１０ｑが形成されている。
【００６０】
また、この凹状開口部１０ｑの壁１０ｍの深さ方向の寸法は、ねじ締結用ボス１０ｎの先端を基準として上側が深く、下側が浅くその寸法を異にして設定してある。
【００６１】
これに対して、コード止め１２は、前述のねじ締結用ボス１０ｎを包囲して嵌合できる有底円筒部１２ａを有し、この有底円筒部１２ａの底１２ｂ側を両方向に延長してその周囲方向を壁１２ｃで囲った構成となっている。
【００６２】
また、コード止め１３は、前述のねじ締結用ボス１０ｎを包囲して嵌合できる有底円筒部１３ａを有し、この有底円筒部１３ａの底１３ｂ側を一方のみ延長してその周囲を壁１３ｃで囲った構成となっている。
【００６３】
それぞれのコード止め１２とコード止め１３の外形寸法は、前述のコード止め固定部１０ｂの壁１０ｍと仕切り壁１０ｐで区切られた空間内に収納できる寸法関係になっている。
【００６４】
また、コード止め１２が左側のねじ締結用ボス１０ｎ側に、コード止め１３が右側のねじ締結用ボス１０ｎ側に装着される。
【００６５】
この時それぞれのコード止め１２及び１３は有底円筒部１２ａ及び１３ａにはねじ通し穴１２ｄ及び１３ｄが設けられて居り、このねじ通し穴１２ｄ及び１３ｄにセルフタッピングねじ１４を挿通して前述のねじ締結用ボス１０ｎにねじ込むことで、雌ねじ部が形成されて端子台１０と一体化できるものである。
【００６６】
また、コード止め１２及びコード止め１３に設けた壁１２ｃ及び１３ｃの高さ方向の寸法は、底１２ｂ底１３ｂのねじ締結用ボス１０ｎと接する面を基準にして、図１９に示すように前述の凹状開口部１０ｑの深い凹み１０ｑ’と浅い凹み１０ｑ”に合わせて、深い凹み１０ｑ’と対応する側の壁１２ｃ’と１３ｃ’が高く、浅い凹み１０ｑ”と対応する側の壁１２ｃ”及び１３ｃ”が低くなっている。すなわち、凹み１０ｑ’と壁１２ｃ’と１３ｃ’並びに凹み１０ｑ”と壁１２ｃ”及び１３ｃ”の組合せによる噛合構成となっている。
【００６７】
また、これ等コード止め１２及び１３を前述のコード止め固定部１０ｂに組み付けた時には、ねじ締結部用ボス１０ｎの先端とコード止め１２と１３の底１２ｂ及び１３ｂが当接した位置で止まる。この時、凹み１０ｑ’と壁１２ｃ’及び壁１３ｃ’がまた、凹み１０ｑ”と壁１２ｃ”及び１３ｃ”間には任意の間隔が設けられる。この間隔の最小寸法はコード１本の外形寸法より小さく、且つ上下両方向に形成されている間隔はほぼ同一寸法になるようにその寸法が決められている。
【００６８】
このように構成されたコード止め１２及び１３は、図２０に示すようにコードを通して締め付けるとそのコードは水平方向の２箇所が凹み１０ｑ’と壁１２ｃ’と１３ｃ’あるいは凹み１０ｑ”と壁１２ｃ”及び１３ｃ”の端面同志で圧接される。また、この時コードの圧接される位置はコードの水平方向が段付噛み合わせ形態の圧接になる。
【００６９】
さらに、端子台１０の下面側１０ｅのコード接続用端子１１間の任意の空間には、その一端が絶縁壁１０ｃで囲われ、その一端がコード止め固定部１０ｂの壁１０ｍに至る複数のコード通し穴１０ｒは密閉形電動圧縮機１の始動方式が図２１の分相始動方式を除く図２２に示す分相始動、コンデンサＣｒ運転方式、図２３に示すコンデンサＣｓ始動方式、図２４に示すコンデンサＣｓ始動、コンデンサＣｒ運転方式等のコンデンサＣｓ、Ｃｒを接続して用いる場合、端子台１０に配設した内部端子１１ｂ及び外部端子１１ａが不足し、始動装置Ｓへのコード接続ができなくなることに対し配慮したものである。
【００７０】
すなわち、コンデンサＣｓ、Ｃｒと始動装置Ｓ間に接続したコードの出入りをこのコード通し穴１０ｒを介して行い、出入りしたコードを全てコード止め１２により固定して外部に引き出せるように構成したものである。
【００７１】
その結果、１つの電力供給装置Ｗで全ての始動方式に対応でき、また、たとえば実際の製品では図２５に示す如く冷凍室用ファンモータを含めあらゆる結線にも追従できるように、本実施例ではコード止め１２の両側に凹状開口部１０ｑを有する側の一方または両方に電源コード及び器内配線コードを固定し、コード止め１２の片側に凹状開口部１０ｑを有する側にアースコードを固定することを想定している。
【００７２】
これにより、アースコードは電源コード等に引張り力が加わり、万一コードが移動するようなことがあっても、他のコードの影響を受けて同時にアースコードが移動することがなく、極めて信頼性の高いコード止めを提案できる。
【００７３】
また、本実施例では、コード接続用端子１１の外部端子用雌ねじ１１ｅには普通一般に電源コードが接続される。この時、その電源コードがほぼ水平状態でコード止め固定部１０ｂとコード止め１２及びコード止め１３により形成された間隙部を通過できるようにしてある。すなわち、凹状開口部１０ｂの深い凹み１０ｑ’は端子台１０の下面側１０ｅの表面との間にほぼコード接続用端子１１の板厚寸法と等価な段差を設けてある。
【００７４】
その結果、接続される電源コードに無理な力が加わらず、また、外部端子用雌ねじ１１ｅとコード止め固定部１０ｂ間を必要最小限の寸法で設計できるため、端子台１０を小形化できる効果がある。
【００７５】
また、コード接続用端子１１に設けられた内部端子用雌ねじ１１ｃは、タブ端子１１ｄの無効空間となる部分に配設してあり、コード接続用端子１１自身の材料取りを改善し、且つ端子台１０の投影面積をその分小さくできる効果がある。
【００７６】
また、この方法ではアース端子６にも採用されて居り、このことは全端子を同一面に並接しても小形軽量化した端子台が得られる根拠となっている。
【００７７】
つぎにカバ９について詳述する。カバ９は前述の通り電力供給装置Ｗを冷蔵庫等の製品に組み込み、この製品を背面から見た時、その正面位置壁面９ａに開口部９ｂが設けられ、この開口部９ｂの縁３方向に凹状レール９ｃが設けられている。更にこの対面する凹状レール９ｃを形成する縁９ｅのカバ９の外面側に一対の鉤の手状の凸部９ｆが設けられている。それぞれの鉤の手の方向は、開口部９ｂに対して外側を向くように形成されている。
【００７８】
また、上下方向上側に設けた鉤の手状凸部９ｆは後述の端子台カバ１５の上面側壁面１５ａの中央部に合致する位置にあり、下側に設けた鉤の手状凸部９ｆはカバ９と端子台１０を嵌合固定した時、端子台１０のコード止め固定部１０ｂに設けたねじ締結用ボス１０ｎ下方位置にある。
【００７９】
また、カバ９の上下方向上面壁９ｇ及び下面壁９ｈの外面側には、取付金具４の押さえばね係止部４ｂの板幅外周面を包囲するように一対の凸部壁面９ｉが設けられている。なお、この凸部壁面９ｉの高さ方向の寸法はほぼ取付金具４の板厚寸法と近似した寸法である。
【００８０】
また、カバ９の天井位置に設けられた押さえばね係止部９ｄは半円状を成し、押さえばね５を取付係止した時、上、下方向に一対に設けられている。この半円状の中央部には押さえばね５を収納固定するための前記押さえばね５の直径より大きな凹状溝９ｊが設けられている。
【００８１】
また、前記一対の押さえばね係止部９ｄ間の中央部カバ９の天井面にはその一部の範囲を凹ませた押さえばね５の着脱工具受け部９ｋが設けられている。
【００８２】
また、カバ９の内部空間には始動装置Ｓと過負荷保護装置Ｐの位置決め取付部材がカバ９と一体成形されている。
【００８３】
始動装置Ｓは始動装置Ｓのソケット端子が密閉形電動圧縮機１の入力用ピン端子２と合致するように内部リブで固定され、また、過負荷保護装置Ｐは始動装置Ｓの下方位置に取付金具４の平坦面４ａとその受熱部が当接され、特開昭６１−３５５９３号公報記載のものと同様な方法により取る付け固定されているため、その説明は省略する。
【００８４】
本実施例が上記公報記載のものと異なる点は、カバ９の上面壁９ｇ及び下面壁９ｈが取付金具４の押さえばね係止部４ｂに設けられた根本側対面部４ｄと当接し、カバ９の上、下方向の自由な動きを規制するとともにに、上面壁９ｇ及び下面壁９ｈの外面側に設けた一対の凸部壁面９ｉと前記押さえばね係止部４ｂに設けた根本側対面部４ｄの板幅外周部面を当接せしめてカバ９の左右方向の自由な動きを規制するように、それぞれの関係寸法が始動装置Ｓのソケット端子と入力用ピン端子２を取付基準として定められていることである。
【００８５】
従って、取付金具４がカバ９の取付時のガイド役をはたすとともにに、カバ９に加えられる外力をこの取付金具４が受け止める構造となっていることから、取付作業性がよく、また強度的に優れたものとすることができる。
【００８６】
その結果、カバ９と一体化された端子台１０のコード接続用端子１１及びコード止め１２の取り付け、取り外し作業が電力供給装置Ｗを密閉形電動圧縮機１に取り付けた状態で実施しても何等支障なく行えるものである。
【００８７】
また、カバ９は前述のような構成となっていることからアンダーカット成形部分が発生せず、成形に用いる金型は普通一般に用いられる２方開き構造で対応できる。その結果、金型が安価に製作できる。また、アンダーカットレスにより金型構造がシンプルで金型の保守点検の減少とともにに金型寿命が長くなる効果がある。
【００８８】
つぎに端子台カバ１５について詳述する。端子台カバ１５は箱状を成し開口部端面１５ｂがカバ９に設けられた開口部９ｂの縁に当接し、端子台１０のカバ９から露出した全範囲を覆うように配置される。
【００８９】
すなわち、端子台１０に取り付けられたコード接続用端子１１及びコード止め１２、１３を含み、端子台１０の投影面積内にあるアース端子６及びにこの範囲内に配線される全てのコードが端子台カバ１５で覆われることになる。
【００９０】
また、この端子台カバ１５は４方向の壁面のうち前述の端子台１０のコード止め固定部１０ｂに設けた複数の凹状開口部１０ｃと対面する下面側壁面１５ｃには、前記凹状開口部１０ｑと対応する位置に複数のコード引き出し口１５ｄが設けられている。
【００９１】
更に、端子台カバ１５の下面側壁面１５ｃの前述の端子台１０のねじ締結用ボス１０ｎの下方に位置する内壁面１５ｃ’と、これに対面する上面側壁面１５ａの中央部に位置する内壁面１５ａ’には、前述のカバ９の開口部９ｂの縁９ｅに設けた一対の鉤の手状凸部９ｆを引掛け固定する鍵穴１５ｅが設けられている。
【００９２】
この鍵穴１５ｅは、内壁面１５ａ’、１５ｃ’に直交する横穴と壁面１５ａ、１５ｃの外壁面１５ａ”、１５ｃ”側にそれぞれ２重壁１５ｆを設け、この２重壁１５ｆで囲まれてできた空胴部１５ｇ、すなわち、縦穴を前記横穴と連通させることによって形成されている。
【００９３】
また、この横穴は端子台カバ１５の射出成形加工時にその横穴がアンダーカットとなり、金型構造が複雑になることをさけるためその一例を図２６に示すように２重壁１５ｆの作用効果により形成される。
【００９４】
その結果、金型が普通一般に用いられるシンプルな２方開き構造とする事ができ、安価なものとする事ができる。また、成形サイクルも長く成らず成形品の成形コストも低価格で供給できるものである。
【００９５】
このように構成された端子台カバ１５をカバ９に取り付けるには、端子台カバ１５に設けた鍵穴１５ｅとカバ９に設けた鉤の手状凸部９ｆを嵌合ロックさせればよい。この嵌合時、鉤の手状凸部９ｆのピッチ間寸法Ｌ1と鍵穴１５ｅのピッチ間寸法Ｌ2の関係において、Ｌ2＜Ｌ1となる部分が存在することはこの種のロック機構を設ける場合の常識である。
【００９６】
本実施例においても、Ｌ2より大きなＬ1部を通過させる時には鉤の手状凸部９ｆ側または鍵穴１５ｅ側のいずれかに変位を発生させることになる。本実施例では鍵穴１５ｅを設けた壁面１５ａ、１５ｃに変位を発生させ、またその復元力を用いてロックさせるロック機構としてある。
【００９７】
従って、何等かの理由によりこの端子台カバ１５を取り外す必要が生じた場合には、図２７に示すように、前記端子台カバ１５の上面側壁面１５ａに設けた２重壁１５ｆで囲まれた空胴部１５ｇに図２７に示す如くマイナスドライバーの先端部を差し込み、上方に持ち上げると同時に手前に回転力を加えれば、前記同ようこの部分のロック部を解除することができる。
【００９８】
上述の如く強度的にも強く、その変位量も大きくとれる端子台カバ１５のたわみを利用していることから、鉤の手状凸部９ｆの強度とたわみ量を用いる方式と比較し、設計上の自由度が広く、且つ、材料選定範囲が広げられることから、カバ９及び端子台カバ１５の難燃性をたとえばＵＬ規格の９４−５Ｖとすることも可能であり、信頼性、安全性の向上にも結び付けられるものである。
【００９９】
つぎに前述のように構成された電力供給装置Ｗと密閉形電動圧縮機１の組立手順について説明する。
【０１００】
まず最初に密閉形電動圧縮機側の組立手順について説明すると、アース端子６を取付金具４のアース端子取付部４ｆに設けられた雌ねじ４ｉにアース固定用ねじ８で締め付け固定する。
【０１０１】
つぎに押さえばね５のフック部５ｂを取付金具４の押さえばね係止部４ｂに設けた穴４ｅに挿通して取り付け、取り付け完了後押さえばね５を後方に回転させて仮の位置に静止させておく、なお、この組立順序は押さえばね５の取り付けが先で、アース端子６の取り付けが後でもその作業順序は問わない。
【０１０２】
つぎに電力供給装置Ｗの組立手順について説明すると、コード接続用端子１１を端子台１０の所定の位置にスライドさせて固定する。その後所定の内部端子用雌ねじ１１ｃに始動装置Ｓ及び過負荷保護装置Ｐとの間を電気的に接続するコードの端子部を端子固定用ねじ１６で締付固定する。それぞれのコード接続完了後、その他の端部を定められた通り始動装置Ｓ及び過負荷保護装置Ｐの各端子に接続する。
【０１０３】
これ等結線作業完了後、カバ９の凹状レール９ｃに沿って端子台１０の外周部１０ａを嵌合スライドさせると同時に、始動装置Ｓ及び過負荷保護装置Ｐ並びにコードをカバ９の内部空間に挿入し、それぞれの構成部品を所定の位置に嵌合固定する。
【０１０４】
つぎに外部端子１１ａ側への結線に入り、所定の外部端子用雌ねじ１１ｅに電源コード等の端子部を端子固定用ねじ１６で締付固定する。
【０１０５】
また、所定のタブ端子１１ｄには前記外部端子用雌ねじ１１ｅに接続されたコード以外のコード、すなわち、器体内配線コードのリセプタクル端子部が嵌合挿入される。
【０１０６】
これ等コード類は端子台１０に設けられたコード止め固定部１０ｂの指定の凹上開口部１０ｑに整列され、コード止め１２とセルフタッピングねじ１４により固定され、ここで電力供給装置Ｗを密閉形電動圧縮機１への取り付け前の準備作業が終了する。
【０１０７】
つぎにこの電力供給装置Ｗを密閉形電動圧縮機１に取り付ける組立手順について説明すると、カバ９の始動装置Ｓ等の収納面を入力用ピン端子２の方向に合わせ、カバ９の凸部壁面９ｉ内の空間に取付金具４の押さえばね係止部４ｂが納まる空間位置からカバ９全体を入力用ピン端子２方向に移動させる。
【０１０８】
任意の空間位置に於いてカバ９の上面壁９ｇ及び下面壁９ｈ並びに凸部壁面９ｉと押さえばね係止部４ｂに設けられた根本側対面部４ｂがいずれかの面で接触する。
【０１０９】
この接触させた状態で、押さえばね５をカバ９の外周に沿って手前方向に回転させ、壁９の天井に設けた押さえばね係止部９ｄの凹上溝９ｊに引掛け固定する。
【０１１０】
ここで、密閉形電動圧縮機１に対する電力供給装置Ｗの電気的接続と取り付けが完了する。
【０１１１】
この状態で、アース端子６の雌ねじ６ｃに接地用アースコードの端子部をアース用ねじ７で締付固定する。また、必要に応じてタブ端子６ｂには器体内アースコードのリセプタクル端子部を嵌合挿入して結線する。
【０１１２】
なお、このアース端子６に対する結線作業は必ずしもこの段階にする必要はなく、前述の密閉形電動圧縮機１側の組立手順で説明したアース端子６の取付終了後でもよいことを付記する。
【０１１３】
これ等の結線作業終了後、端子台１０に設けたコード止め固定部１０ｂのコード止め１３と対応する凹状開口部１０ｑにコード部を整列させ、コード止め１３とセルフタッピングねじ１４を用いてアースコードを固定する。
【０１１４】
このようにして組立の完了した電力供給装置Ｗを備えた密閉形電動圧縮機１の露出充電部は、前述のカバ９に設けた鉤の手錠凸部９ｆと端子台カバ１５の鍵穴１５ｅを結合ロックさせて端子台カバ１５を被せることにより解消する。なお、この時点で全ての組立作業が完了する。
【０１１５】
この時の前述した通り、アース端子６も同時に絶縁され、且つコード止め１２及び１３も露出せず十分な安全性が確保されるようになっている。
【０１１６】
これに対し、万一サービスが必要になった場合には、前述と逆の方法、すなわち絶縁台カバ１５を取り外し、もしこの段階で電源コードのみの交換であれば、電源コードの端子を締め付けている端子固定用ねじをゆるめた上取り外し、新しい電源コードと交換する。
【０１１７】
また、始動装置Ｓまたは過負荷保護装置Ｐあるいは密閉形電動圧縮機１の故障診断を必要とする場合には、押さえばね５をカバ９の押さえばね係止部９ｄから取り付けと逆の方法により離脱させ、その後の後方に回転させた後、カバ９を取り付けと逆の方向に移動させる。この時カバ９以外の部品はカバ９から外れて密閉形電動圧縮機１側に残る。何故ならば、始動装置Ｓは入力用ピン端子２と結合しており、端子台１０は前記始動装置Ｓとの接続コード及びアース端子６との接続コードのコード接続により、また過負荷保護装置Ｐは前記始動装置Ｓとの接続コード及び端子台１０との接続コードの接続及び整形効果によりそれぞれがバラバラにならないよう結合されているためである。
【０１１８】
この状態で、必要な部分を取り外し確認あるいはサービス交換を行い、作業終了後、カバ９を被せると接続コード整形効果によりそれぞれの部品が所定の位置に納まり元の状態に復元できるものである。
【０１１９】
上述する本実施例によれば、つぎの効果がある。
【０１２０】
端子台を密閉形圧縮機を組み込む冷蔵庫の背面から見た場合、正面位置に配置した場合に、コード接続用端子及びアース端子へのコード接続作業並びにコード止めによるコード固定作業及び端子台カバの取り付け、取り外し作業の全てが目視可能位置で実施できるため、作業が容易であって、かつ確実にできる。
【０１２１】
また、合成樹脂を射出成形することによって成形されるカバと端子台を分離分割することによって、カバと端子台の一体成形と異なり、アンダーカット成形を一掃できる。このことは金型構造が単純化でき、金型製作に費やす製作期間の短縮とともにに製作費用を低減できる効果をもたらす。また、金型製作の単純化は成形品のバリ発生が減少し後加工費の低減並びに金型寿命の延長が図れる。
【０１２２】
さらに、カバに必要な性能、たとえば耐熱性、難燃性、端子台に必要な性能、たとえば難燃性、対トラッキング性等その使用目的に合わせて幅広く種々の材料の中から最適材料を選択することが可能になる。
【０１２３】
したがって、電力供給装置全体の性能向上はもとより、材料選定範囲の拡大に伴い安価な材料を任意に選ぶことができ、この面からの原価低減も可能になる。
【０１２４】
その上、端子台と始動装置及び過負荷保護装置間のコード接続は予め端子台単品状態でその作業が可能となり、不確実となり勝ちなねじ止め端子の締付作業が確実に行える。
【０１２５】
また、始動装置と過負荷保護装置及び端子台へのコード接続完了品を、端子台のカバスライド嵌合固定時に、それぞれの装置を同時にカバの所定位置に収納することができるため、その作業性は大幅に向上する。
【０１２６】
つぎにコード接続用端子とアース接続用端子を並設することによって、各端子を省スペースで配設することができる。また、コード接続用端子とアース接続用端子間の絶縁壁を端子台に設けた絶縁壁でできるため、部品増加を招くことなく絶縁性能に優れたものを小形で安価に提供できる効果がある。
【０１２７】
また、同様にカバ内に収納した始動装置及び過負荷保護装置とアース端子間も端子台に一体に設けた絶縁壁で絶縁され、電力供給装置を備えた密閉形電動圧縮機を小形化できる。
【０１２８】
その上、端子台に設けた複数のコード止めによりコード接続用端子並びにアース端子に接続したコードを、任意のコード止めを利用して固定できることから、それぞれのコード止めを別々の所に設ける必要がないため、作業効率よ好で小形軽量化が可能になる。
【０１２９】
つぎに端子台へのコード接続用端子の固定では、コード接続用端子をリベットあるいはコード接続用端子自身のカシメ固定と異なり、コード接続用端子を端子台にスライドするだけでその固定が確実に行えるため、前者のようにカシメ固定用エアープレスやカシメ治具等の設備が不要である。
【０１３０】
また、端子台の両内外面に設けるコード接続用端子は、一方の雌ねじ側に設けた端子台の開口穴と、この開口穴を貫通して締め付ける雄ねじの締付方向と他方の雌ねじ側にはこれと逆方向から雄ねじを締め付けることにより、共通のコード接続用端子を用いることができる。
【０１３１】
更に、コード接続用端子の端子台の開口穴と対応する雌ねじ側には、この雌ねじを囲むコード接続用端子のスライド方向と直角方向カバ外面側に一対のタブ端子を配置したことにより、ねじ、タブで構成されるこの部分の端子スペースを最小とすることができる。
【０１３２】
その結果、コード接続用端子及びアース端子を小さくすることができ、これを多数配置した端子台の小形軽量化に大きく寄与できるものである。
【０１３３】
つぎに端子台カバは、この端子台カバにより全てのコード接続用端子、アース端子及びコード止めが覆われるため、充電部の露出はもとよりコード止め固定用ねじ部も露出せず安全性に優れた電力供給装置を備えた密閉形電動圧縮機が得られる。
【０１３４】
また、端子台カバの取り付け、取り外しは、その取り付け時に於いて端子台カバをほぼ水平移動させた他の部材（カバまたは端子台）に設けた係止部に、前記端子台カバに設けた係止部を嵌合固定するだけでよく、何等特殊工具を必要としないでその取付作業が完了する。更にこの嵌合固定後は互いの係止部間の鍵作用により、密閉形電動圧縮機の始動、運転停止時の振動及び製品輸送時に加わる振動、衝撃にも耐え外れることはない。
【０１３５】
この逆に取り外し時においては、端子カバの係止部近傍外側に設けた穴または溝にドライバの先端を差し込み、端子台カバの壁面の塑性変形（弾性）を利用して一方の係止部の嵌合状態を解除した後、他方の係止部の嵌合状態を素手で解除すればその取外作業が完了する。
【０１３６】
したがって、本端子台カバは取付作業性がよ好で特殊な工具を用いることなく取外作業が行えるため、量産性はもとよりサービス性に於いても優れたものとすることができる。
【０１３７】
また、種々の始動方式や、種々の制御方式により端子台に設けたコード接続用端子が不足する事態が発生しても、始動装置あるいは過負荷保護装置の端子に直接コードを接続し、そのコードを端子台に設けた長穴により外部に引き出した後、コード止めを用いて固定することができるため、１つの電力供給装置で全ての用途に対応できるものである。
【０１３８】
その結果、何種類もの電力供給装置を使い分ける必要がなく、誤組立による生産ラインの混乱を未然に防止できるとともにに、合理化等生産性向上による経済的効果に計り知れないものがある。
【０１３９】
さらに、ＩＥＣ規格に合致し、またその使用目的に沿ったものを小形軽量化し安価なものとした上、信頼性、安全性に優れたものを簡単且つ容易に提供できる。
【０１４０】
図２８は、密閉形圧縮機の他の実施例で、（ａ）は図１のＥーＥ部分断面図、（ｂ）は（ａ）のＦーＦ断面図である。
【０１４１】
始動装置と過負荷保護装置を収納するカバ９内の範囲において、過負荷保護装置Ｐの左右両側の取り付け金具４の底部に２個の水抜き穴４ｋを設けたものである。
【０１４２】
本実施例によって、たとえばカバ内に雨水もしくは清掃時に水が侵入してもカバ外に排出されるので、絶縁低下を防止できるという効果がある。
【０１４３】
図２９は、密閉形圧縮機を組み込んだ冷蔵庫の背面図である。
【０１４４】
冷蔵庫１７の後部の下方底部に機械室１８を設け、この機械室１８内にコード接続用端子１０（図４参照）が冷蔵庫１７の背面側になるように密閉形電動圧縮機を取り付ける。１９は冷蔵庫１７のドアである。
【０１４５】
本実施例によって、密閉形電動圧縮機の故障診断もしくは電源コードの取り付け、取り外し作業の容易な冷凍機を提供することができる。
【０１５２】
【発明の効果】
密閉形電動圧縮機の故障診断もしくは電源コードの取り付け、取り外し作業の容易な冷蔵庫が得られる。
【図面の簡単な説明】
【図１】電力供給装置を備えた密閉形電動圧縮機の正面図である。
【図２】図１のＡ−Ａ断面平面図である。
【図３】図１のＢ−Ｂ断面右側面図である。
【図４】図３の要部拡大図である。
【図５】図１の左側面図である。
【図６】図１から端子カバを除去した正面図である。
【図７】図６のＣ−Ｃ要部拡大図である。
【図８】図１から電力供給装置を除去した正面図である。
【図９】図８から押さえばね、アース端子を除去した正面図である。
【図１０】図８の左側面図である。
【図１１】図１の一部省略下面図である。
【図１２】図１の分解斜視図である。
【図１３】電力供給装置の正面図である。
【図１４】図１３の部分断面右側面図である。
【図１５】図１３の左側面図である。
【図１６】図１３の部分断面平面図である。
【図１７】端子台のコード接続用端子固定部の要部拡大斜視図である。
【図１８】端子台の他の実施例の取り付け機構を示す拡大断面図である。
【図１９】コード止め部の拡大下面図である。
【図２０】図１９のＥ−Ｅ断面図である。
【図２１】分相始動方式の結線図である。
【図２２】分相始動、コンデンサ運転方式の結線図である。
【図２３】コンデンサ始動方式の結線図である。
【図２４】コンデンサ始動、コンデンサ運転方式の結線図である。
【図２５】実際の製品に用いた場合の結線図である。
【図２６】カバと端子台カバの固定部を示す部分断面拡大斜視図である。
【図２７】端子カバ取り外し説明図である。
【図２８】密閉形圧縮機の他の実施例の部分断面図である。
【図２９】密閉形圧縮機を組み込んだ冷蔵庫の背面図である。
【符号の説明】
１…密閉形電動圧縮機、２…入力用ピン端子、３…外殻、４…取付金具、
４ａ…平坦面、４ｂ…押さえばね係止部、４ｅ…穴、４ｆ…アース端子取付部、
４ｇ…立ち上げ面、４ｈ…段曲げ面、４ｉ…雌ねじ、４ｊ…逃げ穴、
４ｋ…水抜き穴、５…押さえばね、５ａ…両端、５ｂ…フック部、
６…アース端子、６ａ…ばか穴、６ｂ…タブ端子、６ｃ…雌ねじ、
７…アース用ねじ、８…アース端子固定用ねじ、９…カバ、
９ａ…正面位置壁面、９ｂ…開口部、９ｃ…凹状レール、
９ｄ…押さえばね固定部、９ｅ…縁、９ｆ…鉤の手状凸部、９ｇ…上面壁、
９ｈ…下面壁、９ｉ…凸状壁面、１０…端子台、１０ａ…外周部、
１０ｂ…コード止め固定部、１０ｃ…絶縁壁、１０ｄ…上面側、
１０ｅ…下面側、１０ｆ…段部、１０ｇ…開口穴、１０ｈ…盲穴、
１０ｉ…端子受け部、１０ｊ…端子受け部、１０ｋ…凹状穴、
１０ｐ…仕切り壁、１０ｑ…凹状開口部、１０ｌ…凸部、１０ｍ…壁、
１０ｎ…ねじ締結用ボス、１１…コード接続用端子、１１ａ…外部端子側、
１１ｂ…内部端子側、１１ｃ…内部端子用雌ねじ、１１ｄ…タブ端子、
１１ｅ…外部端子用雌ねじ、１１ｆ…出張り部、１１ｇ…出張り部、
１１ｈ…凸部、１１ｉ…凹状穴、１１ｊ…穴、
１２…コード止め、１２ａ…有底円筒部、１２ｂ…底、１２ｃ…壁、
１２ｄ…ねじ通し穴、１３…コード止め、１３ａ…有底円筒部、
１３ｃ…壁、１３ｄ…ねじ通し穴、１４…セルフタッピングねじ、
１５…端子台カバ、１５ａ…上面側壁面、１５ｂ…端面、１５ｃ…下面側壁面、
１５ｄ…コード引き出し口、１５ｅ…鍵穴、１５ｆ…２重壁、
１５ｇ…空洞部、１６…端子固定用ねじ、１７…冷蔵庫、１８…機械室、
Ｗ…電力供給装置、Ｓ…始動装置、Ｐ…過負荷保護装置。
【図１】
0004033559.tif 000002
【図２】
0004033559.tif 000003
【図３】
0004033559.tif 000004
【図４】
0004033559.tif 000005
【図５】
0004033559.tif 000006
【図６】
0004033559.tif 000007
【図７】
0004033559.tif 000008
【図８】
0004033559.tif 000009
【図９】
0004033559.tif 000010
【図１０】
0004033559.tif 000011
【図１１】
0004033559.tif 000012
【図１２】
0004033559.tif 000013
【図１３】
0004033559.tif 000014
【図１４】
0004033559.tif 000015
【図１５】
0004033559.tif 000016
【図１６】
0004033559.tif 000017
【図１７】
0004033559.tif 000018
【図１８】
0004033559.tif 000019
【図１９】
0004033559.tif 000020
【図２０】
0004033559.tif 000021
【図２１】
0004033559.tif 000022
【図２２】
0004033559.tif 000023
【図２３】
0004033559.tif 000024
【図２４】
0004033559.tif 000025
【図２５】
0004033559.tif 000026
【図２６】
0004033559.tif 000027
【図２７】
0004033559.tif 000028
【図２８】
0004033559.tif 000029
【図２９】
0004033559.tif 000030